【事件の表示】
　特願２０００−３９０８０５「ロールスクリーンの巻付装置」拒絶査定不服審判事件〔平成１４年　７月　５日出願公開、特開２００２−１８８３８１〕について、次のとおり審決する。
【結　論】
　本件審判の請求は、成り立たない。
【理　由】
【１】手続の経緯
　本願は、平成１２年１２月２２日に出願したものであって、平成１５年９月１２日付けで平成１５年８月２５日受付け手続補正についての却下の決定がなされるとともに拒絶査定がなされ、これに対し、同年１０月２８日付けで拒絶査定に対する審判請求がなされ、その後、当審において、平成１６年６月１日付けで拒絶理由の通知がなされ、同年８月９日受付けで意見書が提出されるとともに手続補正がなされたものである。
　　　　　
　　　　　
【２】平成１６年８月９日受付けの手続補正についての補正の却下の決定
［補正の却下の決定の結論］
　平成１６年８月９日受付けの手続補正（以下、「本件補正」という。）を却下する。
　　　　　
［理由］
〔１〕補正後の本願発明
　本件補正は、特許請求の範囲の請求項１，２を次のとおりに補正することを含むものである。
　「【請求項１】窓枠等に設置した枠体の左右一対のブラケット間に回転可能に支持された巻取軸にスクリーン上端を固定して、この巻取軸を回転させて、スクリーンを巻き取るロールスクリーンの巻付装置において、片側のブラケットの固定板の内側にクラッチバネ１０を内蔵する部材を装着し、この部材が前記巻取軸４を支持する軸管１１内に嵌合されるとともにブラケット２の固定板の軸孔に挿通する円筒軸５ａを備えた調節ダイヤル５を前記ブラケット２の外側に突出して回動自在に取付け、この円筒軸５ａおよび円筒軸５ａに係合する固定軸８を前記軸管１１内に挿通し、この固定軸８に末端を固着した鉄心を前記巻取軸内のコイルばねに嵌挿してなり、この鉄心の一端をコイルばねに連結するとともにこのコイルばねと巻取軸とを係合して前記調節ダイヤル５の回動により前記鉄心を回動して前記コイルばねの弾性復帰力を制御調整できるようにしたことを特徴とするロールスクリーンの巻付装置。
　【請求項２】窓枠等に設置した枠体の左右一対のブラケット間に回転可能に支持された巻取軸にスクリーン上端を固定して、この巻取軸を回転させて、スクリーンを巻き取るロールスクリーンの巻付装置において、片側のブラケット２の固定板の内側にクラッチバネ１０を内蔵する部材を装着し、この部材に前記円筒を支持する軸管を嵌合するとともにブラケット２の固定板の軸孔に挿通する円筒軸５ａを備えた調節ダイヤル５を前記ブラケット２の外側に突出して回動自在に取付け、この円筒軸５ａに前記クラッチバネ１０を介して係合する固定軸８を前記軸管内に挿通し、この固定軸８に末端を固着した鉄心を前記巻取軸内のコイルばねに嵌挿してなり、この鉄心の一端をコイルばねに連結するとともにこのコイルばねと巻取軸とを係合して前記調節ダイヤル５の回動により前記鉄心を回動して前記コイルばねの弾性復帰力を制御調整できるようにし、他方のブラケット２には前記巻取軸に係合する円筒管の回転軸を回動自在に軸装し、この円筒管を回動するスクリーンの巻上機構がクラッチ発条を内蔵した円筒管と球付チェーンとからなり、この球付チェーンを操作して前記巻取軸を回動することを特徴とするロールスクリーンの巻付装置。」と補正する。（補正後の請求項１に係る発明を、以下、「補正発明」という。）
　上記補正は、請求項１，２において、補正前の「円盤状の調節部材を前記ブラケットＡの外側に取付け」を、「調節ダイヤル５を前記ブラケット２の外側に突出して回動自在に取付け」と限定し、また、請求項１において、補正前の「固定軸を前記軸管内に挿通し」を、「円筒軸５ａおよび・・・固定軸８を前記軸管１１内に挿通し」と限定するものであり、特許請求の範囲の減縮を目的とするものであるから、上記補正発明が、その特許出願の際に独立して特許を受けることができるものであるか否かについて、以下に検討する。
　（尚、請求人は、平成１６年８月９日受付けの意見書において、「請求項１および発明の詳細な説明の各字句の補正は、・・・不明瞭な字句を明瞭にしたものであります。」（「５．補正の根拠」参照。）と主張しているが、審判官は、先の拒絶理由通知書において、特許請求の範囲の記載が明りょうでない旨指摘していないから、本件補正は、明りょうでない記載の釈明を目的とするものではない。）
　　　　　
〔２〕引用刊行物とそれらに記載された事項
１．当審における拒絶の理由で引用し、本願出願前に日本国内において頒布された刊行物である実公平６−１７９９５号公報（以下、「刊行物１」という。）には、ロールブラインドの昇降装置に関して、以下の技術事項が図面とともに記載されている。
（１）「窓枠等に巻取軸の両端をそれぞれ取付金具で回転可能に支持し、その巻取軸からスクリーンを昇降可能に吊下支持するとともに同巻取軸内にスクリーンを引き上げるための捩りコイルスプリングを備え、その捩りコイルスプリングの蓄勢力を調整する調整装置を備えたロールブラインドにおいて、調整装置(8)を巻取軸(4)内の一端に収容して当該調整装置(8)を捩りコイルスプリング(7)の端部に連結し、・・・前記調整装置(8)を操作する調節軸(15)の基端を取付金具(3)の側面に露出し、その基端に汎用工具を係合する係合部(17，18)を設けた・・・ロールブラインドの昇降装置。」（実用新案登録請求の範囲）
（２）「（従来の技術）従来、窓際等に設置されるロールブラインドは窓の上枠等に固定される枠体に巻取軸が回転可能に支持され、その巻取軸から布等で形成されるスクリーンが吊下支持されている。」（１頁２欄９〜１３行）
（３）「（実施例）以下、この考案を具体化した一実施例を図面に従って説明すると、第３図に示すようにロールブラインド1は窓等の上枠2に固定される一対の取付金具3に巻取軸4が回転可能に支持され、その巻取軸4から布等で形成されるスクリーン5が吊下支持されている。巻取軸4の一側には無端状の操作コード6が垂下され、その操作コード6の操作によりスクリーン5を昇降操作可能となっている。第２図に示すように、巻取軸4内には捩りコイルスプリング7が配設され、その一端は巻取軸4に固定され、他端は後記する蓄勢力調整装置を介して取付金具3に間接的に固定されている。そして、巻取軸4がスクリーン5下降方向に回転されると捩りコイルスプリング7の一端が巻取軸4と一体に回転されて蓄勢され、スクリーン上昇方向に回転されるとその蓄勢力が消費されるようになっている。巻取軸4の他端は捩りコイルスプリング7の蓄勢力を調節するための調整装置8を介して取付金具3に支持されている。その詳細な構造を以下に説明すると、第１図及び第２図に示すように取付金具3には四角孔9が形成され、その四角孔9にブラケットシャフト10が回動不能に嵌合され、そのブラケットシャフト10に巻取軸4が嵌合筒11を介して回転可能に支持されている。ブラケットシャフト10内にはブレーキドラム12の基端部が嵌合固定され、そのブレーキドラム12の先端部にはクラッチスプリング13が配設されている。・・・ブレーキドラム12の中心部には調節軸15が回転可能に貫通され、その調節軸15の先端部に前記捩りコイルスプリング7の他端を固定したワインドプラグ15がクラッチスプリング13の内側に配設されている。・・・従って、調節軸の回転にともなって・・・クラッチスプリング13及びワインドプラグ16が回転されるようになっている。また、捩りコイルスプリング7の蓄勢力による回転トルクで・・・クラッチスプリング13のブレーキドラム12内周面に対する摩擦が増大してワインドプラグ16の回転が阻止されるようになっている。第２図に示すように、調節軸15の基端は、取付金具3の側面に露出され、六角孔17が開口されるとともに、係止溝18が形成されている。前記六角孔17及び係止溝18により係合部が構成されている。」（２頁３欄４８行〜３頁５欄４行）
（４）「このようなロールブラインドにおいてスクリーン5が最上位置まで引き上げられた状態において捩りコイルスプリング7の蓄勢力を残すことにより同スクリーン5の自重降下を防止するようにその蓄勢力を最適に調整する場合には、調節軸15の例えば係止溝18にドライバ等を係合して回転させれば、クラッチスプリング13がブレーキドラム12に対し回転可能となって調節軸15の回転にともなってワインドプラグ16が回転され、調節軸15を回す方向によって捩りコイルスプリング7の蓄勢力を増加あるいは減衰のいずれの方向にも調節することができる。また、ドライバに換えて六角孔17に嵌合する例えば六角レンチのような工具を使用することもできる。」（３頁５欄１８〜３０行）
　そして、第１〜３図によれば、巻取軸4を回転可能に支持する取付金具3は、従来のものと同様に、窓の上枠2等に固定される枠体に設けられたものであることが明らかであるから、これら（１）〜（４）の記載及び図面の記載並びに当業者の技術常識によれば、刊行物１には、以下の発明が記載されているものと認められる。
　「窓等の上枠2に設置した枠体の左右一対の取付金具3間に回転可能に支持された巻取軸4にスクリーン5上端を固定して、この巻取軸4を回転させて、スクリーン5を巻き取るロールブラインドの昇降装置において、片側の取付金具3のブラケットシャフト10の内側にクラッチスプリング13を内蔵するブレーキドラム12を装着し、このブレーキドラム12が前記巻取軸4を支持する嵌合筒11に嵌合されるとともに取付金具3のブラケットシャフト10の軸孔に挿通する軸部分を備えた調節軸15をその頭部に設けた工具用係合部を前記取付金具3の外側に露出して回動自在に取付け、この調節軸15の軸部分の先端にワインドプラグ16を係合して設け、軸部分を前記嵌合筒11内に挿通し、このワインドプラグ16を前記巻取軸4内の捩りコイルスプリング7に嵌挿してなり、このワインドプラグ16の一端を捩りコイルスプリング7に連結するとともにこの捩りコイルスプリング7と巻取軸4とを係合して前記調節軸15の回動により前記ワインドプラグ16を回動して前記捩りコイルスプリング7の蓄勢力を制御調整できるようにしたロールブラインドの昇降装置。」（以下、「刊行物１記載の発明」という。）
　　　　　
２．同じく、実公平５−３８２３６号公報（以下、「刊行物２」という。）には、ロールブラインドのスクリーン巻上げ力調整装置に関して、以下の技術事項が図面とともに記載されている。
（１）「第１図及び第２図に示すように、ロールブラインドは天井面Ｗに固定されたフレーム1の左右両端に取付部材としてのブラケツト2が・・・固定され、そのブラケツト2に支持軸4の両端が後記するスクリーン巻上げ力調整装置の操作時に限り回転可能に支持され、さらに同支持軸4に巻取軸5が回転可能に支持されている。そして、支持軸4と巻取軸5との間には付勢手段としての捩りコイルスプリング（図示しない）及びクラツチ（図示しない）が配設され、同捩りコイルスプリングにより常には支持軸4を支点として一方への回転力が付与される巻取軸5は所定時にはクラツチによりその回転が阻止されるようになっている。」（２頁４欄２０〜３３行）
（２）「次に、第２図中右側のブラケツト2に設けられたスクリーン巻上げ力調整装置9について説明すると、第３図に示すようにブラケツト2の下部には四角棒状の支持軸4を貫通させる貫通孔10が設けられている。その貫通孔10を中心としてブラケツト2の側面には内筒部材11が固着され・・・ている。」（２頁４欄４３行〜３頁５欄６行）
（３）「第１図に示すように内筒部材11に摺動回転可能に嵌合される外筒部材14」（３頁５欄１３〜１４行）
（４）「外筒部材14の軸心部には嵌合突部17が設けられ、同嵌合突部17の中心部には前記支持軸4と嵌合する四角孔18が形成されている。」（３頁５欄２１〜２３行）
（５）「このようなロールブラインドの開閉操作において、ロールスクリーン6の巻上げ力を強める場合には、操作者が巻取軸5を回転不能に保持した状態で外筒部材14を左方向へ回転操作・・・させる。すると、外筒部材14の回転に伴い支持軸4が回転され、捩りコイルスプリングが蓄勢されてその付勢力は強くなる。」（３頁６欄９〜１７行）
（６）「一方、スクリーン巻上げ力を弱める場合には巻取軸5を回転不能に保持した状態で・・・外筒部材14を左方向・・・に回転させ・・・る。すると、外筒部材14の回転に伴つて支持軸4が回転されて捩りコイルスプリングが緩む方向に巻き戻されてその付勢力が弱められ、」（３頁６欄２３〜３４行）
　これら（１）〜（６）の記載及び図面の記載並びに当業者の技術常識によれば、刊行物２には、以下の技術事項が記載されているものと認められる。
　「四角棒状の支持軸4と巻取軸5との間に巻装した捩りコイルスプリングの弾性復帰力を制御調整するための円盤状の外筒部材14を、その円筒状の嵌合突部17をブラケツト２の側面に固着した内筒部材11の軸孔に挿通して、ブラケツト２の外側に突出して回動自在に取付けたこと。」
　　　　　　
３．同じく、特公昭６３−８２６９号公報（以下、「刊行物３」という。）には、ロールスクリーン装置に関して、以下の技術事項が図面とともに記載されている。
（１）「図において1は、ロールスクリーン本体Ｒを軸架するためのブラケツト板であり、・・・軸支板1Ｂの略中央部には軸支筒2が固着してある。そして、この軸支筒2の軸支板1Ｂで区画される夫々には、ロールスクリーン本体Ｒ軸架がわで、クラツチ機構22を内蔵したクラツチ体20を、そして、このクラツチ体20に対向する側でダイヤル機構10を夫々配設する。ダイヤル機構10は、両端部が折曲されて形成された係合折片1Ａを有し、前記軸支筒2の外周面に密着して外嵌されるコイルバネ11と、軸支筒2内に回転自在に挿通され先端に嵌合ピンで成る係合部12Ａが配設されると共に後端に円板状の係合盤13が形成される係合軸12と、係合盤13及び軸支板1Ｂ夫々で挟持されて回転自在に保持される円環状のダイヤル14とで成る。」（２頁４欄５〜２４行）
（２）「ロールスクリーン本体Ｒは中空の巻取軸ＴにスクリーンＳの端縁を固定し、一方の軸端に軸支体としてのローラーエンド30を、他方の軸端にスプリングモータ31を内装して成る。スプリングモータ31は巻取軸Ｔの軸端開口に嵌合される略筒状のローテーター32と、このローテーター32の筒心に沿つて配設される回転自在なステーター33と、このステーター33にインナーコア34で回転自在に連結され、巻取軸Ｔ内面に嵌合して巻取軸Ｔと回転を共にするピロー35と、一端がステーター33に他端がピロー35に夫々固定され前記インナーコア34に外嵌して配設されるねじりコイルバネ36と、・・・で成る。そして、ローテーター32には、クラツチ本体21の係合部26が係合される係合穴で成る係合部32Ａが形成され、また、ステーター33にはダイヤル機構10の係合軸12の軸端に形成された係合部12Ａが嵌合される嵌合角穴で成る係合部33Ａが形成される。」（３頁６欄２１〜４４行）
　これら（１）（２）の記載及び図面の記載並びに当業者の技術常識によれば、刊行物３には、以下の技術事項が記載されているものと認められる。
　「インナーコア34と巻取軸Ｔとの間に巻装したねじりコイルバネ36の弾性復帰力を制御調整するためのダイヤル14を、ブラケツト板1の外側に突出して回動自在に取付けたこと。」、及び、
　「ダイヤル機構10の係合軸12および該係合軸12に係合されインナーコア34を連結するステーター33を、巻取軸Ｔを支持する略筒状のローテーター32内に挿通したこと。」
　　　　　
〔３〕対比・判断
１．補正発明と刊行物１記載の発明との対比
　そこで、補正発明と刊行物１記載の発明とを対比すると、刊行物１記載の発明の「窓等の上枠2」，「取付金具3」，「ブラケットシャフト10」，「巻取軸4」，「スクリーン5」，「クラッチスプリング13」，「ブレーキドラム12」，「嵌合筒11」，「ワインドプラグ16」，「捩りコイルスプリング7」，「（捩りコイルスプリング7の）蓄勢力」，「ロールブラインドの昇降装置」が、補正発明の「窓枠等」，「ブラケット２」，「（ブラケット２の）固定板」，「巻取軸４」，「スクリーン」，「クラッチバネ１０」，「（クラッチバネ１０を内蔵する）部材」，「軸管１１」，「固定軸８」，「コイルばね」，「（コイルばねの）弾性復帰力」，「ロールスクリーンの巻付装置」にそれぞれ相当し、
　また、刊行物１記載の発明の「調節軸15」と補正発明の「調節ダイヤル５」とは何れも「調節部材」である点で一致し、同、「調節軸15」の「軸部分」と補正発明の「調節ダイヤル５」の「円筒軸５ａ」とは何れも「ブラケット２の固定板」（ブラケットシャフト10）の「軸孔」に挿通する「軸部」である点で一致し、
　さらに、「（調節軸15）の頭部に設けた工具用係合部を前記取付金具3の外側に露出」と補正発明の「調節ダイヤル５をブラケット２の外側に突出」とは何れも「調節部材の一部をブラケット２の外側に露出」である点で一致するから、
　両者は、「窓枠等に設置した枠体の左右一対のブラケット間に回転可能に支持された巻取軸にスクリーン上端を固定して、この巻取軸を回転させて、スクリーンを巻き取るロールスクリーンの巻付装置において、片側のブラケットの固定板の内側にクラッチバネ１０を内蔵する部材を装着し、この部材が前記巻取軸４を支持する軸管１１内に嵌合されるとともにブラケット２の固定板の軸孔に挿通する軸部を備えた調節部材を前記ブラケット２にその一部を外側に露出して回動自在に取付け、この調節部材の軸部に固定軸８を係合し、軸部を前記軸管１１内に挿通し、この固定軸８を前記巻取軸内のコイルばねに嵌挿してなり、この固定軸８の一端をコイルばねに連結するとともにこのコイルばねと巻取軸とを係合して前記調節部材の回動により前記固定軸８を回動して前記コイルばねの弾性復帰力を制御調整できるようにしたロールスクリーンの巻付装置。」の点で一致し、以下の点で相違する。（以下の記載において、括弧内には補正発明における対応する部材の名称を示す。但し、符号は省略する。）
＜相違点１＞
　調節部材（調節ダイヤル）の構造について、補正発明が、「ブラケット２の固定板の軸孔に挿通する円筒軸５ａを備えた調節ダイヤル５を前記ブラケット２の外側に突出して回動自在に取付け」たのに対し、刊行物１記載の発明では、調節軸15をその一部である頭部の工具用係合部を外側に露出させて取付金具3（ブラケット）に回動自在に取付けてあるものの、取付金具3の外側に突出して取付けた調節ダイヤルではなく、また、ブラケットシャフト10（ブラケットの固定板）の軸孔に挿通する軸部分が円筒状ではない点。
＜相違点２＞
　調節部材の軸部（円筒軸）及び固定軸の配置について、補正発明が、「円筒軸５ａおよび円筒軸５ａに係合する固定軸８を前記軸管１１内に挿通し」ているのに対し、刊行物１記載の発明では、調節軸15の軸部分が嵌合筒11（軸管）内に挿通するものの、ワインドプラグ16（固定軸）については嵌合筒11内に挿通していない点。
＜相違点３＞
　「コイルばね」と「固定軸」との関係について、補正発明が、「固定軸８に末端を固着した鉄心を前記巻取軸内のコイルばねに嵌挿してなり、この鉄心の一端をコイルばねに連結する」のに対し、刊行物１記載の発明では、ワインドプラグ16（固定軸）の末端に巻取軸4内の捩りコイルスプリング7（コイルばね）に嵌挿する鉄心を固着したのか否か不明であり、また、ワインドプラグ16側に捩りコイルスプリング7が連結されている点。
　　　　　
２．相違点についての検討
＜相違点１について＞
　相違点１について検討するために刊行物２，３をみると、刊行物２には、四角棒状の支持軸4（鉄心）と巻取軸5（巻取軸）との間に巻装した捩りコイルスプリング（コイルばね）の弾性復帰力を制御調整するための円盤状の外筒部材14（調節ダイヤル）を、ブラケツト２（ブラケット）の外側に突出して回動自在に取付けたことが記載され、また、刊行物３には、インナーコア34（鉄心）と巻取軸Ｔ（巻取軸）との間に巻装したねじりコイルバネ36（コイルばね）の弾性復帰力を制御調整するためのダイヤル14（調節ダイヤル）を、ブラケツト板1（ブラケット）の外側に突出して回動自在に取付けたことが記載され、さらに、刊行物２に記載の円盤状の外筒部材14は、ブラケツト２（ブラケット）の側面に固着した内筒部材11（固定板）の軸孔に挿通する円筒状の嵌合突部17（円筒軸）を備えたものであり、しかも、このような刊行物２，３記載の発明を、刊行物１記載の発明に適用することについては、何ら阻害要因を認めることができないから、補正発明の相違点１に係る構成は、刊行物１〜３記載の発明から当業者が容易に想到し得たものと認められる。
＜相違点２について＞
　相違点２について検討するために刊行物３をみると、刊行物３には、ダイヤル機構10の係合軸12（円筒軸）および該係合軸12に係合されインナーコア34を連結するステーター33（固定軸）を、巻取軸Ｔ（巻取軸）を支持する略筒状のローテーター32（軸管）内に挿通したことが記載され、また、このようなものは、例えば、実公昭６１−３２０７６号公報にも記載されているように周知技術であり、しかも、このような周知技術を、刊行物１記載の発明に適用することについては、何ら阻害要因を認めることができないから、補正発明の相違点２に係る構成は、刊行物１，３記載の発明及び周知技術から当業者が容易に想到し得たものと認められる。また、そうでなくても、「固定軸８を前記軸管１１内に挿通」することは、当業者が必要に応じて随時採用する程度の設計事項にすぎないものと認められる。
＜相違点３について＞
　固定軸に末端を固着した心部材を巻取軸内のコイルばねに嵌挿してその一端をコイルばねに連結することは、例えば、上記周知例（実公昭６１−３２０７６号公報：調整リング15にステーター2を介して連結したパイプ9を巻取筒8内のコイルスプリング4に嵌挿しその一端をコイルスプリング4に連結したことが記載されている。）、及び、実公平４−３５８７９号公報（操作環13に軸9を介して連結した心棒6を生布巻取ロール2内のコイルスプリング4に嵌挿しその一端をコイルスプリング4に連結したことが記載されている。）に記載されているように周知技術であり、さらに、コイルばね内の心部材として鉄心を用いることは、「鉄心の他端をコイルばねに連結するとともにこのコイルばねと円筒とを係合して」との技術が「古くから採用されている技術」であると審判請求人も請求書（３）ｃ．において自認しているように周知技術にすぎず、しかも、このような周知技術を、刊行物１記載の発明に適用することについては、何ら阻害要因を認めることができないから、補正発明の相違点３に係る構成は、刊行物１記載の発明及び周知技術から当業者が容易に想到し得たものと認められる。
　　　　　
３．まとめ
　そして、補正発明によって奏する効果も、刊行物１〜３記載の発明及び周知技術から、普通に予測できる範囲内のものであって、格別なものがあるとは認められないから、補正発明は、刊行物１〜３に記載の発明及び周知技術に基づき当業者が容易に発明をすることができたものと云わざるを得ない。
　　　　　
〔４〕むすび
　したがって、補正発明は、特許法第２９条第２項の規定により、その特許出願の際に独立して特許を受けることができないものである。
　以上のように、本件補正は、平成１５年改正前特許法第１７条の２第５項において準用する同法第１２６条第４項の規定に違反するので、特許法第１５９条第１項において読み替えて準用する同法第５３条第１項の規定により却下すべきものである。
　よって、上記［補正の却下の決定の結論］のとおり、決定する。
　　　　　
　　　　　
【３】本願発明について
〔１〕本願発明
　本願の各請求項に係る発明は、平成１６年８月９日受付けの手続補正が上記のとおり却下されたので、平成１５年４月１０日受付けの手続補正書により補正された明細書及び図面の記載からみて、その特許請求の範囲の請求項１，２に記載された事項により特定される以下のとおりのものと認める。
　「【請求項１】窓枠等に設置した枠体の左右一対のブラケット間に回転可能に支持された円筒にスクリーン上端を固定して、この円筒を回転させて、スクリーンを巻き取るロールスクリーンの巻付装置において、片側のブラケットＡに固定した固定板にクラッチ発条を内蔵する円管を装着し、この円管に前記円筒を支持する軸管を嵌合するとともにこの固定板の軸孔に挿通する円筒軸を備えた円盤状の調節部材を前記ブラケットＡの外側に取付け、この円筒軸に前記クラッチ発条を介して係合する固定軸を前記軸管内に挿通し、この固定軸に末端を固着した鉄心を前記円筒内のコイルばねに嵌挿してなり、この鉄心の他端をコイルばねに連結するとともにこのコイルばねと円筒とを係合して前記調節部材の回動により前記鉄心を回動して前記コイルばねの弾性復帰力を制御調整できるようにしたことを特徴とするロールスクリーンの巻付装置。
　【請求項２】（記載を省略する。）」（請求項１に係る発明を、以下、「本願発明」という。）
　　　　　
〔２〕引用刊行物とそれらに記載された事項
　これに対し、当審における拒絶の理由で引用し、本願出願前に日本国内において頒布された引用刊行物の記載事項は、上記【２】〔２〕に記載したとおりである。
　　　　　
〔３〕対比・判断
　本願発明は、上記【２】で検討した補正発明における「調節ダイヤル５を前記ブラケット２の外側に突出して回動自在に取付け」及び「円筒軸５ａおよび・・・固定軸８を前記軸管１１内に挿通し」との限定事項を、「円盤状の調節部材を前記ブラケットＡの外側に取付け」及び「固定軸を前記軸管内に挿通し」と変更するものであり、また、補正発明における「巻取軸」，「クラッチバネ」，「部材」，「調節ダイヤル」について、「円筒」，「クラッチ発条」，「円管」，「（円盤状の）調節部材」のように部材の名称を単純に変更したものである。
　そうすると、本願発明の技術事項を全て含む補正発明が、上記【２】〔３〕に記載したとおり、刊行物１〜３記載の発明及び周知技術に基づき当業者が容易に発明できたものであるから、本願発明も、刊行物１〜３記載の発明及び周知技術に基づき当業者が容易に発明できたものと云わざるを得ない。
　　　　　　
〔４〕むすび
　したがって、本願発明は、刊行物１〜３記載の発明及び周知技術に基づき当業者が容易に発明できたものであって、特許法第２９条第２項の規定により、特許を受けることができないものであり、本願の他の請求項に係る発明について検討するまでもなく、本願は拒絶すべきものである。
　よって、結論のとおり審決する。